(57)【要約】      （修正有）【課題】手術において使用済みとなった縫合針の数量管理を容易とし、針数量管理の煩雑さに伴う手術時間の遅延による患者の負担軽減、および手術場において使用済み針に触れて刺さるという医師、看護婦の医療事故を防止できる針収納容器を提供する。【解決手段】手術室において使用済みの縫合針を安全に収納し、廃棄するための針収納容器００１を、複数の連結した針収納単位１００と左右両端のフィルム固定部１０４を有し、各針収納単位には、使用済みの縫合針を貼り付ける台紙部分１１１と、前記台紙部分を覆う蓋部分１０２と、フィルム開閉時に前記蓋部分を掴むための把持部分１１３を設け、台紙部分には表面および裏面に粘着面を設け、蓋部分には表面に粘着面と、裏面に蓋部分を台紙部分に被せ貼り合わせた際に表面から数字が確認できるように印字が施された構造とする。【選択図】図１
0003148290.tif 000002
【実用新案登録請求の範囲】
【請求項１】
手術室において使用済みの縫合針を安全に収納し、廃棄するための針収納容器であって、
前記針収納容器は、複数の針収納単位とフィルム固定部を有し、
前記各針収納単位は、使用済みの縫合針を貼り付ける台紙部分と、前記台紙部分を覆う蓋部分と、フィルム開閉時に前記蓋部分を掴むための把持部分と、を備え、
前記台紙部分と前記蓋部分はフィルムからなり、前記台紙部分と蓋部分の間には折線または切込みを有し、
前記台紙部分は、表面および裏面に粘着面を有し、
前記蓋部分は、表面に粘着面を有し、裏面には前記蓋部分を前記台紙部分に被せ貼り合わせた際に、数字が表面に表示されるように、数字が印字されており、
前記フィルム固定部は、前記針収納容器の左右両端に設けられた構造であることを特徴とする針収納容器。
【請求項２】
手術室において使用済みの縫合針を安全に収納し、廃棄するための針収納容器であって、
前記針収納容器は、複数の針収納単位とフィルム固定部を有し、
前記各針収納単位は、使用済みの縫合針を貼り付ける台紙部分と、前記台紙部分を覆う蓋部分と、フィルム開閉時に前記蓋部分を掴むための把持部分とを備え、
前記台紙部分と前記蓋部分はフィルムからなり、前記台紙部分と蓋部分の間には折線または切込みを有し、
前記台紙部分は、表面および裏面に粘着面を有し、
前記蓋部分は、表面に粘着面を有し、裏面には前記蓋部分を前記台紙部分に被せ貼り合わせた際に、数字が表面に表示されるように、数字が印字されており、
前記隣接する針収納単位の間にはそれぞれ隙間を有し、
前記フィルム固定部は、前記針収納容器の左右両端に設けられた構造であることを特徴とする針収納容器。
【請求項３】
請求項１および／または２に記載の針収納容器において、
前記蓋部分の裏面には、数字が印字されていないことを特徴とする針収納容器。
【請求項４】
請求項１乃至３のいずれかに記載の針収納容器において、
前記針収納単位の把持部分は、前記台紙部分および蓋部分を含む平面から、フィルム把持および開閉が容易なように、若干角度を設けて立ち上げられた構造であることを特徴とする針収納容器。
【請求項５】
請求項１乃至４のいずれかに記載の針収納容器において、
各針収納単位に使用するフィルムは、半透明または乳白色または不透明のいずれであっても良いことを特徴とする針収納容器。
【請求項６】
請求項１乃至５のいずれかに記載の針収納容器において、
針収納単位は複数個連結するのではなく、単数であることを特徴とする針収納容器。
【考案の詳細な説明】
【技術分野】
【０００１】
本考案は手術室で縫合に使用された針を粘着テープで挟み込むことにより、簡易で安全に針を処理でき、かつ挟み込んだ時に表面に数字が現れることにより、使用済み針の数量管理を容易に成し得る針収納容器に関する。
【背景技術】
【０００２】
手術で使用する器具消耗品に関しては、手術場に持ち込んだ数量と手術終了後の数量の対応について、厳重な管理が要求されている。手術において手術場に持ち込んだ数量と手術終了後の数量の対応が取れず、紛失の疑いが生じた場合には、針が患者の体内に残っている可能性が疑われ、発見できるまで最終縫合ができず、手術時間の遅延を招き、これは患者と手術施行者である医師、看護婦の大きな負担となっている。
【０００３】
他方、手術において使用される縫合針は、手術に応じて準備され、縫合後にはテーブルに使用前の針と分けて置かれて管理されるが、手術中においては医師、看護婦がこの使用済み針に触れて刺さる医療事故が発生し問題となっている。
【０００４】
そこで考案者は、手術で使用済みとなった縫合針の数量管理および廃棄が容易となり、医師、看護婦の労力軽減に貢献できるだけでなく、手術場における医師、看護婦の使用済み針による医療事故を防止できるように、本針容器を考案した。
【特許文献１】特開平９−３１３４９５
【考案の開示】
【考案が解決しようとする課題】
【０００５】
本考案は、手術において、使用済みとなった縫合針の数量管理および廃棄を安全かつ容易にするとともに、使用済み針に触れて刺さるという医師、看護婦の医療事故防止にも役立つ針収納容器を提供することを目的とする。
【課題を解決するための手段】
【０００６】
請求項１に記載された考案は、手術室において使用済みの縫合針を安全に収納し、廃棄するための針収納容器であって、
前記針収納容器は、複数の針収納単位とフィルム固定部を有し、
前記各針収納単位は、使用済みの縫合針を貼り付ける台紙部分と、前記台紙部分を覆う蓋部分と、フィルム開閉時に前記蓋部分を掴むための把持部分とを備え、
前記台紙部分と前記蓋部分はフィルムからなり、前記台紙部分と蓋部分の間には折線または切込みを有し、
前記台紙部分は、表面および裏面に粘着面を有し、
前記蓋部分は、表面に粘着面を有し、裏面には前記蓋部分を前記台紙部分に被せ貼り合わせた際に、数字が表面に表示されるように、数字が印字されており、
前記フィルム固定部は、前記針収納容器の左右両端に設けられた構造であることを特徴とする。
【０００７】
請求項２に記載された考案は、手術室において使用済みの縫合針を安全に収納し、廃棄するための針収納容器であって、
前記針収納容器は、複数の針収納単位とフィルム固定部を有し、
前記各針収納単位は、使用済みの縫合針を貼り付ける台紙部分と、前記台紙部分を覆う蓋部分と、フィルム開閉時に前記蓋部分を掴むための把持部分とを備え、
前記台紙部分と前記蓋部分はフィルムからなり、前記台紙部分と蓋部分の間には折線または切込みを有し、
前記台紙部分は、表面および裏面に粘着面を有し、
前記蓋部分は、表面に粘着面を有し、裏面には前記蓋部分を前記台紙部分に被せ貼り合わせた際に、数字が表面に表示されるように、数字が印字されており、
前記隣接する針収納単位の間にはそれぞれ隙間を有し、
前記フィルム固定部は、前記針収納容器の左右両端に設けられた構造であることを特徴とする。
【０００８】
請求項３に記載された考案は、請求項１および／または２に記載の針収納容器において、
前記蓋部分の裏面には、数字が印字されていないことを特徴とする。
【０００９】
請求項４に記載された考案は、請求項１乃至３のいずれかに記載の針収納容器において、
前記針収納単位の把持部分は、前記台紙部分および蓋部分を含む平面から、フィルム把持および開閉が容易なように、若干角度を設けて立ち上げられた構造であることを特徴とする。
【００１０】
請求項５に記載された考案は、請求項１乃至４のいずれかに記載の針収納容器において、
各針収納単位に使用するフィルムは、半透明または乳白色または不透明のいずれであっても良いことを特徴とする。
【００１１】
請求項６に記載された考案は、請求項１乃至５のいずれかに記載の針収納容器において、
針収納単位は複数個連結するのではなく、単数であることを特徴とする。
【考案の効果】
【００１２】
本考案に係る針収納容器を用いることにより、手術において使用済みとなった縫合針の数量管理を容易とし、針数量管理の煩雑さに伴う手術時間の遅延による患者の負担軽減、および手術場において使用済み針に触れて刺さるという医師、看護婦の医療事故の防止を容易に実現できる。
【考案を実施するための最良の形態】
【００１３】
以下、図を参照しつつ、本考案を実施するための最良の形態につき説明する。
（実施の形態１）
実施の形態１は、手術において使用済みとなった縫合針を貼り付ける台紙部分と、前記台紙部分に被せて針を台紙に密着させる蓋部分と、前記蓋部分の開閉に使用する把持部分からなる針収納単位が、所定の数だけ連結した針収納容器である。
【００１４】
図１は実施の形態１に係る複数の針収納単位からなる針収納容器の構成の概略を示す平面図である。
【００１５】
図１において、針収納単位はフィルムからなり、左から順に１１０（図１では把持部分と蓋部分が台紙部分の上に折り曲げられている状態を示す），１２０，１３０，１４０，１５０，１６０，１７０，１８０，１９０，１００と、１０個連結し、さらに左右両端にフィルム固定部１０４，１０５を設けて、針収納容器００１が構成されている。なお連結する針収納単位の数は１０個に限定されるものではない。
【００１６】
針収納単位１２０は、使用済みの縫合針を貼り付ける台紙部分１２１と、前記台紙部分に被せる蓋部分１２２と、フィルム開閉時に前記蓋部分を掴むための把持部分１２３とを備え、他の針収納単位についても同様の構造を持つ。針収納単位は１１０に示すように、把持部分１１３を掴んで矢印１０６で示されるように蓋部分１１２を折り曲げ、台紙部分１１１の上に重ねて、中に針を挟み込み、針は蓋部分１１２および台紙部分１１１の粘着面で確実に密着され収納される。
【００１７】
各針収納単位の蓋部分、左から順に１１２（図１では台紙部分１１１と重なっている），１２２，１３２，１４２，１５２，１６２，１７２，１８２，１９２，１０２には、各把持部分を掴んで蓋部分を折り曲げて台紙部分に貼り合わせ、中に針を封じ込めた際に、表面から数字が読み取れるように、各針収納単位の蓋部分の裏面には、数字１，２，３，４，５，６，７，８，９，１０が印字されている。なお、透明フィルムの場合には、蓋部裏面に印字されている数字は、表面からは上下対称に見えるものの数字の認識はできる。
【００１８】
さらに、左右両端に設けられたフィルム固定部１０４，１０５は、各針収納単位の台紙部分の底面部に設けられた粘着力が弱まって、スクラブナースの機械台のシーツへの各針収納単位の固定が不十分になったり、あるいは台紙部裏面の粘着面が剥がれた場合に使用するものであって、固定部１０４，１０５を鉗子で掴み、針収納容器の固定を補強する。また、フィルム固定部１０４，１０５に使用されたフィルムは着色フィルムとし、各針収納単位に使用されたフィルムの色と区別する。
【００１９】
図２は使用済みの針を針収納単位の中に封じ込める様子を説明するための説明図である。
【００２０】
使用済みになった針１０７を矢印１０８に示すように台紙部分２１０の表面部に置き、次に把持部分２３０を摘んで蓋部分２２０を持ち上げ、矢印１０６に示すように蓋部分２２０を折り曲げて台紙部分２１０の上に重ねて、蓋部分と台紙部分のフィルムを貼り付けて閉鎖することにより、針１０７は完全に中に封じ込められる。
【００２１】
図３は、図２における針収納単位の側面図である。針収納単位は、蓋部分２２０と台紙部分２１０と把持部分２３０とを有し、蓋部分２２０の表面部には粘着面２２２が設けられ、台紙部分２１０と蓋部分２２０の間には、折れ線または切れ込み２２３が設けられ、折り曲げやすくなっている。
【００２２】
台紙部分２１０については、表面部２１１に使用済み針１０７および蓋部分２２０を接着するための粘着面２１２が設けられ、底面部２１３にも針収納単位をテーブルのシーツ等へ固定できるように、粘着面２１４が設けられている。
（実施の形態２）
図４は、実施の形態２に係る複数の針収納単位からなる針収納容器の構成の概略を示す平面図である。
【００２３】
実施の形態２に係る針収納容器は、実施の形態１の針収納容器とは異なり、各針収納単位は、隣接する針収納単位との間に隙間を挟んで連結されている構造をもつ。このため実施の形態１の針収納容器の場合に比べ、針収納容器全体の安定性の確保がされやすい。特に粘着面に使用された粘着剤が柔らかいものの場合には、保管中或いは輸送中において針収納容器に多方向から外力が掛けられた場合にも、針収納単位同士に間が空けられていることにより、隣接する針収納単位同士がくっついてしまうという危険性を防止できる。
【００２４】
実施の形態２に係る針収納容器は、複数の針収納単位からなり、また針収納単位はフィルムからなるが、隣接する針収納単位の間にそれぞれ隙間が設けられて、針収納単位を連結した構造となっている。左から順に、針収納単位は４１０（図４では把持部分と蓋部分が台紙部分の上に折り曲げられている状態を示す），４２０，４３０，４４０，４５０，４６０，４７０，４８０，４９０，４００と、それぞれに隙間を挟んで１０個連結し、さらに左右両端にフィルム固定部４０４，４０５が設けられて、針収納容器が構成されている。なお連結する針収納単位の数は１０個に限定されるものではない。
【００２５】
針収納単位４２０については、左の針収納単位４１０との間に隙間４１４を有し、右の針収納単位４３０との間に隙間４２４を有する構造となっていて、他の針収納単位についても４２０と同様にそれぞれに隙間を有する構造となっている。
【００２６】
針収納単位４２０については、使用済みの縫合針を貼り付ける台紙部分４２１と、前記台紙部分を覆う蓋部分４２２と、フィルム開閉時に前記蓋部分を掴むための把持部分４２３と、から構成され、他の針収納単位についてもこれと同様の構造を持つ。針収納単位４１０に示すように、蓋部分４１２は折り曲げて台紙部分４１１の上に重ねて、中に使用済み針を挟み込むという使用方法は、実施の形態１の針収納容器と同様である。
【００２７】
各針収納単位の蓋部分、左から順に４１２（図４では台紙部分４１１と重なっている），４２２，４３２，４４２，４５２，４６２，４７２，４８２，４９２，４０２（４３２，４４２，４５２，４６２，４７２，４８２，４９２，４０２は、図１の１３２，１４２，１５２，１６２，１７２，１８２，１９２，１０２と同様であるため、図４では図示していない）には、蓋部分を折り曲げて台紙部分に貼り合わせ、針を封じ込めた際に、表面から数字が読み取れるように、各針収納単位の蓋部分の裏面には、数字１，２，３，４，５，６，７，８，９，１０が印字されている点も実施の形態１の針収納容器と同様である。
【００２８】
さらに左右両端のフィルム固定部４０４，４０５の役割等も実施の形態１の針収納容器と同様であるため説明は省略する。
【００２９】
なお、本実施の形態１および２の針収納容器に使用するフィルムについては、フィルムの材料等に特徴はなく、公知のものでよいので説明は省略する。針収納容器左右両端に設けられた補強用に使用するフィルム固定部（図１における１０４および１０５、図４における４０４および４０５）には、着色されたフィルムを使用する。また、蓋部分を折り返し粘着面を貼り合わせることで、使用済み針を密着し収納する針収納単位に使用するフィルムは、半透明もしくは乳白色もしくは不透明のいずれのフィルムであってもよい。
【図面の簡単な説明】
【００３０】
【図１】実施の形態１に係る複数の針収納単位からなる針収納容器の構成の概略を示す平面図である。
【図２】使用済みの針を針収納単位の中に封じ込める方法を説明するための説明図である。
【図３】使用済みの針を密着収納する針収納単位を説明するための説明用側面図である。
【図４】実施の形態２に係る複数の針収納単位からなる針収納容器の構成の概略を示す平面図である。
【符号の説明】
【００３１】
００１      針収納容器  
１００      針収納単位（表示番号１０）
１０２      蓋部分
１０４      フィルム固定部
１０５      フィルム固定部
１０６      矢印
１１０      針収納単位（表示番号１）
１１１      台紙部分
１１２      蓋部分
１１３      把持部分
１２０      針収納単位（表示番号２）
１２１      台紙部分
１２２      蓋部分
１２３      把持部分
１３０      針収納単位（表示番号３）
１３２      蓋部分
１４０      針収納単位（表示番号４）
１４２      蓋部分
１５０      針収納単位（表示番号５）
１５２      蓋部分
１６０      針収納単位（表示番号６）
１６２      蓋部分
１７０      針収納単位（表示番号７）
１７２      蓋部分
１８０      針収納単位（表示番号８）
１８２      蓋部分
１９０      針収納単位（表示番号９）
１９２      蓋部分
【図１】
0003148290.tif 000003
【図２】
0003148290.tif 000004
【図３】
0003148290.tif 000005
【図４】
0003148290.tif 000006
【手続補正書】
【提出日】平成20年12月2日(2008.12.2)
【手続補正１】
【補正対象書類名】実用新案登録請求の範囲
【補正対象項目名】全文
【補正方法】変更
【補正の内容】
【実用新案登録請求の範囲】
【請求項１】
手術室において使用済みの縫合針を安全に収納し、廃棄するための針収納容器であって、
前記針収納容器は、複数の針収納単位とフィルム固定部を有し、
前記各針収納単位は、使用済みの縫合針を貼り付ける台紙部分と、前記台紙部分を覆う蓋部分と、フィルム開閉時に前記蓋部分を掴むための把持部分と、を備え、
前記台紙部分と前記蓋部分はフィルムからなり、前記台紙部分と蓋部分の間には折線または切込みを有し、
前記台紙部分は、表面および裏面に粘着面を有し、
前記蓋部分は、表面に粘着面を有し、裏面には前記蓋部分を前記台紙部分に被せ貼り合わせた際に、数字が表面に表示されるように、数字が印字されており、
前記フィルム固定部は、前記針収納容器の左右両端に設けられた構造であることを特徴とする針収納容器。
【請求項２】
手術室において使用済みの縫合針を安全に収納し、廃棄するための針収納容器であって、
前記針収納容器は、複数の針収納単位とフィルム固定部を有し、
前記各針収納単位は、使用済みの縫合針を貼り付ける台紙部分と、前記台紙部分を覆う蓋部分と、フィルム開閉時に前記蓋部分を掴むための把持部分とを備え、
前記台紙部分と前記蓋部分はフィルムからなり、前記台紙部分と蓋部分の間には折線または切込みを有し、
前記台紙部分は、表面および裏面に粘着面を有し、
前記蓋部分は、表面に粘着面を有し、裏面には前記蓋部分を前記台紙部分に被せ貼り合わせた際に、数字が表面に表示されるように、数字が印字されており、
前記隣接する針収納単位の間にはそれぞれ隙間を有し、
前記フィルム固定部は、前記針収納容器の左右両端に設けられた構造であることを特徴とする針収納容器。
【請求項３】
請求項１または２に記載の針収納容器において、
前記蓋部分の裏面には、数字が印字されていないことを特徴とする針収納容器。
【請求項４】
請求項１乃至３のいずれかに記載の針収納容器において、
前記針収納単位の把持部分は、前記台紙部分および蓋部分を含む平面から、フィルム把持および開閉が容易なように、若干角度を設けて立ち上げられた構造であることを特徴とする針収納容器。
【請求項５】
請求項１乃至４のいずれかに記載の針収納容器において、
各針収納単位に使用するフィルムは、半透明または乳白色または不透明のいずれであっても良いことを特徴とする針収納容器。
【請求項６】
請求項１乃至５のいずれかに記載の針収納容器において、
針収納単位は複数個連結するのではなく、単数であることを特徴とする針収納容器。
【手続補正２】
【補正対象書類名】明細書
【補正対象項目名】全文
【補正方法】変更
【補正の内容】
【考案の詳細な説明】
【技術分野】
【０００１】
本考案は手術室で縫合に使用された針を粘着テープで挟み込むことにより、簡易で安全に針を処理でき、かつ挟み込んだ時に表面に数字が現れることにより、使用済み針の数量管理を容易に成し得る針収納容器に関する。
【背景技術】
【０００２】
手術で使用する器具消耗品に関しては、手術場に持ち込んだ数量と手術終了後の数量の対応について、厳重な管理が要求されている。手術において手術場に持ち込んだ数量と手術終了後の数量の対応が取れず、紛失の疑いが生じた場合には、針が患者の体内に残っている可能性が疑われ、発見できるまで最終縫合ができず、手術時間の遅延を招き、これは患者と手術施行者である医師、看護婦の大きな負担となっている。
【０００３】
他方、手術において使用される縫合針は、手術に応じて準備され、縫合後にはテーブルに使用前の針と分けて置かれて管理されるが、手術中においては医師、看護婦がこの使用済み針に触れて刺さる医療事故が発生し問題となっている。
【０００４】
そこで考案者は、手術で使用済みとなった縫合針の数量管理および廃棄が容易となり、医師、看護婦の労力軽減に貢献できるだけでなく、手術場における医師、看護婦の使用済み針による医療事故を防止できるように、本針容器を考案した。
【特許文献１】特開平９−３１３４９５
【考案の開示】
【考案が解決しようとする課題】
【０００５】
本考案は、手術において、使用済みとなった縫合針の数量管理および廃棄を安全かつ容易にするとともに、使用済み針に触れて刺さるという医師、看護婦の医療事故防止にも役立つ針収納容器を提供することを目的とする。
【課題を解決するための手段】
【０００６】
請求項１に記載された考案は、手術室において使用済みの縫合針を安全に収納し、廃棄するための針収納容器であって、
前記針収納容器は、複数の針収納単位とフィルム固定部を有し、
前記各針収納単位は、使用済みの縫合針を貼り付ける台紙部分と、前記台紙部分を覆う蓋部分と、フィルム開閉時に前記蓋部分を掴むための把持部分とを備え、
前記台紙部分と前記蓋部分はフィルムからなり、前記台紙部分と蓋部分の間には折線または切込みを有し、
前記台紙部分は、表面および裏面に粘着面を有し、
前記蓋部分は、表面に粘着面を有し、裏面には前記蓋部分を前記台紙部分に被せ貼り合わせた際に、数字が表面に表示されるように、数字が印字されており、
前記フィルム固定部は、前記針収納容器の左右両端に設けられた構造であることを特徴とする。
【０００７】
請求項２に記載された考案は、手術室において使用済みの縫合針を安全に収納し、廃棄するための針収納容器であって、
前記針収納容器は、複数の針収納単位とフィルム固定部を有し、
前記各針収納単位は、使用済みの縫合針を貼り付ける台紙部分と、前記台紙部分を覆う蓋部分と、フィルム開閉時に前記蓋部分を掴むための把持部分とを備え、
前記台紙部分と前記蓋部分はフィルムからなり、前記台紙部分と蓋部分の間には折線または切込みを有し、
前記台紙部分は、表面および裏面に粘着面を有し、
前記蓋部分は、表面に粘着面を有し、裏面には前記蓋部分を前記台紙部分に被せ貼り合わせた際に、数字が表面に表示されるように、数字が印字されており、
前記隣接する針収納単位の間にはそれぞれ隙間を有し、
前記フィルム固定部は、前記針収納容器の左右両端に設けられた構造であることを特徴とする。
【０００８】
請求項３に記載された考案は、請求項１または２に記載の針収納容器において、
前記蓋部分の裏面には、数字が印字されていないことを特徴とする。
【０００９】
請求項４に記載された考案は、請求項１乃至３のいずれかに記載の針収納容器において、
前記針収納単位の把持部分は、前記台紙部分および蓋部分を含む平面から、フィルム把持および開閉が容易なように、若干角度を設けて立ち上げられた構造であることを特徴とする。
【００１０】
請求項５に記載された考案は、請求項１乃至４のいずれかに記載の針収納容器において、
各針収納単位に使用するフィルムは、半透明または乳白色または不透明のいずれであっても良いことを特徴とする。
【００１１】
請求項６に記載された考案は、請求項１乃至５のいずれかに記載の針収納容器において、
針収納単位は複数個連結するのではなく、単数であることを特徴とする。
【考案の効果】
【００１２】
本考案に係る針収納容器を用いることにより、手術において使用済みとなった縫合針の数量管理を容易とし、針数量管理の煩雑さに伴う手術時間の遅延による患者の負担軽減、および手術場において使用済み針に触れて刺さるという医師、看護婦の医療事故の防止を容易に実現できる。
【考案を実施するための最良の形態】
【００１３】
以下、図を参照しつつ、本考案を実施するための最良の形態につき説明する。
（実施の形態１）
実施の形態１は、手術において使用済みとなった縫合針を貼り付ける台紙部分と、前記台紙部分に被せて針を台紙に密着させる蓋部分と、前記蓋部分の開閉に使用する把持部分からなる針収納単位が、所定の数だけ連結した針収納容器である。
【００１４】
図１は実施の形態１に係る複数の針収納単位からなる針収納容器の構成の概略を示す平面図である。
【００１５】
図１において、針収納単位はフィルムからなり、左から順に１１０（図１では把持部分と蓋部分が台紙部分の上に折り曲げられている状態を示す），１２０，１３０，１４０，１５０，１６０，１７０，１８０，１９０，１００と、１０個連結し、さらに左右両端にフィルム固定部１０４，１０５を設けて、針収納容器００１が構成されている。なお連結する針収納単位の数は１０個に限定されるものではない。
【００１６】
針収納単位１２０は、使用済みの縫合針を貼り付ける台紙部分１２１と、前記台紙部分に被せる蓋部分１２２と、フィルム開閉時に前記蓋部分を掴むための把持部分１２３とを備え、他の針収納単位についても同様の構造を持つ。針収納単位は１１０に示すように、把持部分１１３を掴んで矢印１０６で示されるように蓋部分１１２を折り曲げ、台紙部分１１１の上に重ねて、中に針を挟み込み、針は蓋部分１１２および台紙部分１１１の粘着面で確実に密着され収納される。
【００１７】
各針収納単位の蓋部分、左から順に１１２（図１では台紙部分１１１と重なっている），１２２，１３２，１４２，１５２，１６２，１７２，１８２，１９２，１０２には、各把持部分を掴んで蓋部分を折り曲げて台紙部分に貼り合わせ、中に針を封じ込めた際に、表面から数字が読み取れるように、各針収納単位の蓋部分の裏面には、数字１，２，３，４，５，６，７，８，９，１０が印字されている。なお、透明フィルムの場合には、蓋部裏面に印字されている数字は、表面からは上下対称に見えるものの数字の認識はできる。
【００１８】
さらに、左右両端に設けられたフィルム固定部１０４，１０５は、各針収納単位の台紙部分の底面部に設けられた粘着力が弱まって、スクラブナースの機械台のシーツへの各針収納単位の固定が不十分になったり、あるいは台紙部裏面の粘着面が剥がれた場合に使用するものであって、固定部１０４，１０５を鉗子で掴み、針収納容器の固定を補強する。また、フィルム固定部１０４，１０５に使用されたフィルムは着色フィルムとし、各針収納単位に使用されたフィルムの色と区別する。
【００１９】
図２は使用済みの針を針収納単位の中に封じ込める様子を説明するための説明図である。
【００２０】
使用済みになった針１０７を矢印１０８に示すように台紙部分２１０の表面部に置き、次に把持部分２３０を摘んで蓋部分２２０を持ち上げ、矢印１０６に示すように蓋部分２２０を折り曲げて台紙部分２１０の上に重ねて、蓋部分と台紙部分のフィルムを貼り付けて閉鎖することにより、針１０７は完全に中に封じ込められる。
【００２１】
図３は、図２における針収納単位の側面図である。針収納単位は、蓋部分２２０と台紙部分２１０と把持部分２３０とを有し、蓋部分２２０の表面部には粘着面２２２が設けられ、台紙部分２１０と蓋部分２２０の間には、折れ線または切れ込み２２３が設けられ、折り曲げやすくなっている。
【００２２】
台紙部分２１０については、表面部２１１に使用済み針１０７および蓋部分２２０を接着するための粘着面２１２が設けられ、底面部２１３にも針収納単位をテーブルのシーツ等へ固定できるように、粘着面２１４が設けられている。
（実施の形態２）
図４は、実施の形態２に係る複数の針収納単位からなる針収納容器の構成の概略を示す平面図である。
【００２３】
実施の形態２に係る針収納容器は、実施の形態１の針収納容器とは異なり、各針収納単位は、隣接する針収納単位との間に隙間を挟んで連結されている構造をもつ。このため実施の形態１の針収納容器の場合に比べ、針収納容器全体の安定性の確保がされやすい。特に粘着面に使用された粘着剤が柔らかいものの場合には、保管中或いは輸送中において針収納容器に多方向から外力が掛けられた場合にも、針収納単位同士に間が空けられていることにより、隣接する針収納単位同士がくっついてしまうという危険性を防止できる。
【００２４】
実施の形態２に係る針収納容器は、複数の針収納単位からなり、また針収納単位はフィルムからなるが、隣接する針収納単位の間にそれぞれ隙間が設けられて、針収納単位を連結した構造となっている。左から順に、針収納単位は４１０（図４では把持部分と蓋部分が台紙部分の上に折り曲げられている状態を示す），４２０，４３０，４４０，４５０，４６０，４７０，４８０，４９０，４００と、それぞれに隙間を挟んで１０個連結し、さらに左右両端にフィルム固定部４０４，４０５が設けられて、針収納容器が構成されている。なお連結する針収納単位の数は１０個に限定されるものではない。
【００２５】
針収納単位４２０については、左の針収納単位４１０との間に隙間４１４を有し、右の針収納単位４３０との間に隙間４２４を有する構造となっていて、他の針収納単位についても４２０と同様にそれぞれに隙間を有する構造となっている。
【００２６】
針収納単位４２０については、使用済みの縫合針を貼り付ける台紙部分４２１と、前記台紙部分を覆う蓋部分４２２と、フィルム開閉時に前記蓋部分を掴むための把持部分４２３と、から構成され、他の針収納単位についてもこれと同様の構造を持つ。針収納単位４１０に示すように、蓋部分４１２は折り曲げて台紙部分４１１の上に重ねて、中に使用済み針を挟み込むという使用方法は、実施の形態１の針収納容器と同様である。
【００２７】
各針収納単位の蓋部分、左から順に４１２（図４では台紙部分４１１と重なっている），４２２，４３２，４４２，４５２，４６２，４７２，４８２，４９２，４０２（４３２，４４２，４５２，４６２，４７２，４８２，４９２，４０２は、図１の１３２，１４２，１５２，１６２，１７２，１８２，１９２，１０２と同様であるため、図４では図示していない）には、蓋部分を折り曲げて台紙部分に貼り合わせ、針を封じ込めた際に、表面から数字が読み取れるように、各針収納単位の蓋部分の裏面には、数字１，２，３，４，５，６，７，８，９，１０が印字されている点も実施の形態１の針収納容器と同様である。
【００２８】
さらに左右両端のフィルム固定部４０４，４０５の役割等も実施の形態１の針収納容器と同様であるため説明は省略する。
【００２９】
なお、本実施の形態１および２の針収納容器に使用するフィルムについては、フィルムの材料等に特徴はなく、公知のものでよいので説明は省略する。針収納容器左右両端に設けられた補強用に使用するフィルム固定部（図１における１０４および１０５、図４における４０４および４０５）には、着色されたフィルムを使用する。また、蓋部分を折り返し粘着面を貼り合わせることで、使用済み針を密着し収納する針収納単位に使用するフィルムは、半透明もしくは乳白色もしくは不透明のいずれのフィルムであってもよい。
【図面の簡単な説明】
【００３０】
【図１】実施の形態１に係る複数の針収納単位からなる針収納容器の構成の概略を示す平面図である。
【図２】使用済みの針を針収納単位の中に封じ込める方法を説明するための説明図である。
【図３】使用済みの針を密着収納する針収納単位を説明するための説明用側面図である。
【図４】実施の形態２に係る複数の針収納単位からなる針収納容器の構成の概略を示す平面図である。
【符号の説明】
【００３１】
００１      針収納容器  
１００      針収納単位（表示番号１０）
１０２      蓋部分
１０４      フィルム固定部
１０５      フィルム固定部
１０６      矢印
１１０      針収納単位（表示番号１）
１１１      台紙部分
１１２      蓋部分
１１３      把持部分
１２０      針収納単位（表示番号２）
１２１      台紙部分
１２２      蓋部分
１２３      把持部分
１３０      針収納単位（表示番号３）
１３２      蓋部分
１４０      針収納単位（表示番号４）
１４２      蓋部分
１５０      針収納単位（表示番号５）
１５２      蓋部分
１６０      針収納単位（表示番号６）
１６２      蓋部分
１７０      針収納単位（表示番号７）
１７２      蓋部分
１８０      針収納単位（表示番号８）
１８２      蓋部分
１９０      針収納単位（表示番号９）
１９２      蓋部分